(57)【要約】      （修正有）【課題】  遊技球の前入賞孔に対する見た目の振分け確率を実際の振分け確率に比べて高めること。【解決手段】下ステージ７０の上方には滑り台が設けられている。この滑り台は放出口が円環状の移動軌跡を描くように回転するものであり、滑り台から放出された遊技球は下ステージ７０の着地領域７４内に着地し、非着地領域７５内には着地しない。非着地領域７５のうち前非着地領域８４を相対的に面積が大きく設定し、左非着地領域８５および右非着地領域８６を相対的に面積が小さく設定したので、遊技者の見た目の視点では滑り台から放出された遊技球が前領域８７内に落下する確率が最高になる。しかし、前着地領域８１の面積が左着地領域８２および右着地領域８３に対して同一に設定されているので、実際には滑り台から放出された遊技球が前着地領域８１内〜右着地領域８３内に共通の確率で落下し、前入賞孔８８内〜右入賞孔９３内に共通の確率で振分けられる。【選択図】図６
2006320385.tif 000002
【特許請求の範囲】
【請求項１】
遊技球が転動可能な遊技領域と、
前記遊技領域内を転動する遊技球が入球可能な入球口と、
前記入球口に入球した遊技球が侵入する侵入口および侵入口から侵入した遊技球を放出する放出口を有する球通路と、
前記球通路を前記放出口が円環状の回転軌跡を描くように回転操作する駆動源と、
前記球通路の放出口から放出された遊技球が着地する円環状の着地領域を有する受け台と、
前記受け台を複数の振分け領域に仕切る仕切部材と、
前記各振分け領域内に設けられ、前記球通路の放出口から放出された遊技球が入賞可能な入賞孔とを備え、
前記仕切部材は、
前記着地領域を円周方向に等分された複数の分割着地領域に仕切る複数の着地領域仕切部と、
前記複数の着地領域仕切部を前記着地領域の内周部の非着地領域内で連結する非着地領域仕切部とを有するものであり、
前記非着地領域仕切部は、
前記非着地領域のうち遊技者有利の状態を生成する特定の入賞孔を有する特定の振分け領域に属する部分が相対的に大となり、前記特定の振分け領域を除く残りの各振分け領域に属する部分が零または相対的に小となるように前記複数の着地領域仕切部を連結するものであることを特徴とする遊技機。
【発明の詳細な説明】
【技術分野】
【０００１】
本発明は、入球口に入球した遊技球を複数の入賞孔に振分ける振分け機能を備えた遊技機に関する。
【背景技術】
【０００２】
上記遊技機には入球口に入球した遊技球を円形状の受け台上に落下させる構成のものがある。この受け台には３個の入賞孔が設けられており、受け台上に落下した遊技球は受け台の外周部に沿って円形状の移動軌跡を描きながら転動し、円形状の移動軌跡が崩れることに基いて３個の入賞孔のいずれかに入賞する。この３個の入賞孔のうち特定の１個の入賞孔は遊技者有利の状態を発生させる始動口の入口として機能するものであり、遊技球が特定の入賞孔に落下したときには始動口に入賞する。この構成の場合、３個の入賞孔を円周方向に等角度で配置することに基いて遊技球の特定の入賞孔に対する振分け確率を「１／３」に設定している。
【特許文献１】特開平９−１０３９３号公報
【発明の開示】
【発明が解決しようとする課題】
【０００３】
上記遊技機の場合、遊技者が遊技を始める前に３個の入賞孔の配置を目視で観察することから特定の入賞孔に対する遊技球の振分け確率を推測する傾向にある。このため、遊技球の振分け確率が低値「１／３」であることを遊技者が容易に理解してしまうので、遊技者の遊技意欲を削ぐことになる。
【０００４】
本発明は上記事情に鑑みてなされたものであり、その目的は、遊技球の特定の入賞孔に対する見た目の振分け確率を実際の振分け確率に比べて高めることが可能な遊技機を提供することにある。
【課題を解決するための手段】
【０００５】
請求項１記載の遊技機は１）遊技領域〜７）入賞孔を備え、６）仕切部材が８）〜１０）の態様であるところに特徴を有している。
１）遊技領域は遊技球が転動可能な領域であり、図２の符号２２は遊技領域の一例を示している。
２）入球口は遊技領域内を転動する遊技球が入球可能なものであり、図３の左飛込み口４３および図３の右飛込み口４４は入球口の一例である。
３）球通路は入球口に入球した遊技球が侵入する侵入口および侵入口から侵入した遊技球を放出する放出口を有するものである。図３の滑り台５８は球通路の一例であり、滑り台５８の直管部６１は侵入口に相当し、滑り台５８の終端部６３は放出口に相当する。
４）駆動源は球通路を放出口が円環状の回転軌跡を描くように回転操作するものであり、図３の役物モータ５５は駆動源の一例である。
５）受け台は球通路の放出口から放出された遊技球が着地する円環状の着地領域を有するものである。図６の下ステージ７０および図１２の下ステージ１００は受け台の一例であり、図６の符号７４は着地領域を示している。
６）仕切部材は受け台を複数の振分け領域に仕切るものである。図６の仕切壁７６は仕切部材の一例であり、図６の前領域８７と左領域９０と右領域９２はいずれも振分け領域の一例である。
７）入賞孔は複数の振分け領域内に夫々に設けられたものであり、球通路の放出口から放出された遊技球が入賞可能なものである。図６の前入賞孔８８は前領域８７内に設けられた入賞孔であり、図６の左入賞孔９１は左領域９０内に設けられた入賞孔であり、図６の右入賞孔９３は右領域９２内に設けられた入賞孔である。
８）仕切部材は複数の着地領域仕切部を有するものである。これら複数の着地領域仕切部は着地領域を円周方向に等分された複数の分割着地領域に仕切るものである。図６の左前仕切部７７と右前仕切部７８と後仕切部７９はいずれも着地領域仕切部に相当するものであり、図６の前着地領域８１と左着地領域８２と右着地領域８３は円周方向に等分された分割着地領域の一例である。
９）仕切部材は非着地領域仕切部を有するものである。この非着地領域仕切部は複数の着地領域仕切部を着地領域の内周部の非着地領域内で連結するものであり、非着地領域内とは非着地領域および着地領域間の境界線を含む。図６の符号７５は非着地領域の一例であり、中央仕切部８０は非着地領域仕切部の一例である。
１０）非着地領域仕切部は非着地領域のうち遊技者有利の状態を生成する特定の入賞孔を有する特定の振分け領域に属する部分が相対的に大となり、特定の振分け領域を除く残りの各振分け領域に属する部分が零または相対的に小となるように複数の着地領域仕切部を連結するものである。図６の前入賞孔８８は特定の入賞孔に相当するものであり、中央仕切部８０は非着地領域７５のうち前入賞孔８８を有する特定の前領域８７に属する前非着地領域８４が相対的に大となり、残りの左領域９０に属する左非着地領域８５および右領域９２に属する右非着地領域８６が相対的に小となるように左前仕切部７７と右前仕切部７８と後仕切部７９を連結するものである。前入賞孔８８は特定の入賞孔とは相違する左入賞孔９１および右入賞孔９３に比べて多数の可変入賞口を開放する入口となるものであり、左入賞孔９１および右入賞孔９３に比べて多数の賞品球を払出すことが可能な遊技者有利の状態を生成する。
【０００６】
また、請求項１記載の遊技機においては、前記受け台に前記着地領域の外周部に位置して前記特定の振分け領域に属する延長領域を設けても良い。この発明は特許請求の範囲に記載されたものではないが、実施例１には記載されている。
【０００７】
さらに、請求項１記載の遊技機においては、前記特定の入賞孔を有する特定の振分け領域のうち分割着地領域に相対的に傾斜する第１の傾斜領域および相対的に傾斜しない第１の非傾斜領域を設定し、前記特定の入賞孔を有さない残りの各振分け領域のうち分割着地領域に相対的に傾斜する第２の傾斜領域および相対的に傾斜しない第２の非傾斜領域を設定し、前記第１の非傾斜領域を前記各第２の非傾斜領域に比べて面積が大きく設定しても良い。この発明は特許請求の範囲に記載されたものではないが、実施例１には記載されている。
【０００８】
さらに、請求項１記載の遊技機においては、前記特定の入賞孔を有する特定の振分け領域のうち分割着地領域に無彩色に着色された第１の無彩色領域および有彩色に着色された第１の有彩色領域を設定し、前記特定の入賞孔を有さない残りの各振分け領域のうち分割着地領域に無彩色に着色された第２の無彩色領域および有彩色に着色された第２の有彩色領域を設定し、前記第１の有彩色領域を前記各第２の有彩色領域に比べて面積が大きく設定しても良い。尚、第１の無色領域および第１の有彩色領域は相対的なものであり、例えば第１の無色領域は白色および黒色だけに限定解釈されるものではない。また、第２の無色領域および第２の有彩色領域は相対的なものであり、例えば第２の無色領域は白色および黒色だけに限定解釈されるものではない。この発明は特許請求の範囲に記載されたものではないが、実施例１には記載されている。
【発明の効果】
【０００９】
着地領域を円周方向に等分された複数の分割着地領域に仕切る複数の着地領域仕切部と、複数の着地領域仕切部を着地領域の内周部の非着地領域内で連結する非着地領域仕切部とを設け、非着地領域のうち特定の振分け領域に属する部分を相対的に大とし、残りの振分け領域に属する部分を零または相対的に小とした。このため、特定の振分け領域が残りの振分け領域に対して大きくなるので、遊技者の見た目の視点では球通路の放出口から放出された遊技球が特定の振分け領域内に落下する確率が最高になる。この特定の振分け領域の分割着地領域を残りの振分け領域の分割着地領域と同一の大きさに設定したので、実際には球通路の放出口から放出された遊技球が複数の分割着地領域内に共通の確率で落下し、複数の入賞孔内に共通の確率で振分けられる。このため、遊技球が特定の振分け領域内の特定の入賞孔に振分けられる見た目の確率が実際の確率に比べて高くなるので、遊技球が特定の入賞孔に振分けられる実際の確率を高めることなく遊技者の遊技意欲を高めることができる。
【発明を実施するための最良の形態】
【００１０】
【実施例１】
【００１１】
パチンコホールの台島には、図１に示すように、外枠１が設置されている。この外枠１は前後面が開口する四角筒状をなすものであり、外枠１の前端面には前枠２が左側辺部の垂直な軸を中心に回動可能に装着されている。この前枠２の前面には下端部に位置して横長な長方形状の下皿板３が固定されており、下皿板３の前面には上面が開口する下皿４が固定されている。この下皿板３の上方には上皿板５が配置されている。この上皿板５は前枠２に装着されたものであり、上皿板５の前面には上面が開口する上皿６が固定されている。
【００１２】
下皿板３の前面には右端部に位置してハンドル台７が固定されており、ハンドル台７には発射ハンドル８が回動可能に装着されている。この発射ハンドル８の後方には発射モータ９が固定されており、発射モータ９の回転軸には打球槌１０が連結されている。この発射モータ９は打球槌１０の駆動源に相当するものであり、発射ハンドル８が回動操作されたときには発射モータ９に駆動電源が与えられ、打球槌１０が駆動することに基づいて上皿６内の遊技球を上皿６内から弾き出す。
【００１３】
前枠２の前面には窓枠１１が装着されている。この窓枠１１は円形孔状の窓部１２を有するものであり、窓部１２の内周面には透明なガラス窓１３が固定されている。この窓枠１１の後面には左上隅部および右上隅部に位置してスピーカ１４が固定されており、各スピーカ１４の前方には網状のスピーカカバー１５が配置されている。これら各スピーカカバー１５は窓枠１１に固定されたものであり、各スピーカ１４が再生する遊技音は前方のスピーカカバー１５を通して放出される。窓枠１１には両スピーカ１４間に位置してランプカバー１６が固定されており、ランプカバー１６の後方には複数の電飾ＬＥＤ１７が配置されている。これら各電飾ＬＥＤ１７は窓枠１１に固定されたものであり、ランプカバー１６は電飾ＬＥＤ１７が発光することに基いて後方から照明される。
【００１４】
前枠２には、図２に示すように、遊技盤１８が装着されており、遊技盤１８は窓枠１１のガラス窓１３により前方から覆われている。この遊技盤１８には外レール１９および内レール２０が固定されている。これら外レール１９および内レール２０間には発射通路２１が形成されており、打球槌１０が弾いた遊技球は発射通路２１を通して遊技領域２２内に放出される。この遊技領域２２内には複数の障害釘２３が打込まれており、遊技領域２２内に放出された遊技球は障害釘２３に当りながら遊技領域２２内を落下する。この遊技領域２２は外レール１９および内レール２０によって囲まれた円形領域（発射通路２１の残余領域）を称するものであり、遊技球が転動可能な最大範囲である転動領域に相当するものである。
【００１５】
遊技盤１８には中央上入賞口２４が固定されている。この中央上入賞口２４は上面が開口するポケット状をなすものであり、中央上入賞口２４には２枚の羽根板２５が装着されている。これら両羽根板２５は垂直な縮小状態（実線参照）および傾斜する拡大状態（二点鎖線参照）間で軸２６を中心に回動可能にされたものであり、両羽根板２５の拡大状態では中央上入賞口２４の左右両側部を落下する遊技球が両羽根板２５によって捕捉されることに基いて中央上入賞口２４内に入賞し、両羽根板２５の縮小状態では両羽根板２５間に１個の遊技球のみが通過することが可能な幅寸法の球通路が形成される。即ち、中央上入賞口２４は遊技球の入賞が相対的に容易な遊技者有利の拡大状態および遊技球の入賞が相対的に困難な遊技者不利の縮小状態に切換わるものである。
【００１６】
遊技盤１８には中央上入賞口２４の下方に位置して中央下入賞口２７が固定されている。この中央下入賞口２７は上面が開口するポケット状をなすものであり、中央下入賞口２７には２枚の羽根板２８が装着されている。これら両羽根板２８は垂直な縮小状態（実線参照）および傾斜する拡大状態（二点鎖線参照）間で軸２９を中心に回動可能にされたものであり、中央下入賞口２７は両羽根板２８の拡大状態で遊技球の入賞が相対的に容易な遊技者有利の状態になり、両羽根板２８の閉鎖状態で遊技球の入賞が相対的に困難な遊技者不利の状態になる。
【００１７】
遊技盤１８には中央上入賞口２４の左方に位置して左入賞口３０が固定されている。この左入賞口３０は上面が開口するポケット状をなすものであり、左入賞口３０には２枚の羽根板３１が装着されている。これら両羽根板３１は垂直な縮小状態（実線参照）および傾斜する拡大状態（二点鎖線参照）間で軸３２を中心に回動可能にされたものであり、左入賞口３０は両羽根板３１の拡大状態で遊技球の入賞が相対的に容易な遊技者有利の状態になり、両羽根板３１の閉鎖状態で遊技球の入賞が相対的に困難な遊技者不利の状態になる。
【００１８】
遊技盤１８には中央上入賞口２４の右方に位置して右入賞口３３が固定されている。この右入賞口３３は上面が開口するポケット状をなすものであり、右入賞口３３には２枚の羽根板３４が装着されている。これら両羽根板３４は垂直な縮小状態（実線参照）および傾斜する拡大状態（二点鎖線参照）間で軸３５を中心に回動可能にされたものであり、右入賞口３３は両羽根板３４の拡大状態で遊技球の入賞が相対的に容易な遊技者有利の状態になり、両羽根板３４の閉鎖状態で遊技球の入賞が相対的に困難な遊技者不利の状態になる。
【００１９】
遊技盤１８には中央上入賞口２４の上方に位置して中央役物４０が固定されている。以下、中央役物４０の詳細構成について説明する。遊技盤１８には、図３に示すように、貫通孔３６が形成されており、貫通孔３６内には役物ケース４１が固定されている。この役物ケース４１は前面が開口し後面が閉鎖されたものであり、役物ケース４１の前面には、図７に示すように、前方へ突出する塀部４２が固定されている。この塀部４２は遊技領域２２内の遊技球が役物ケース４１内に直接的に侵入することを規制するものであり、役物ケース４１の外周部を周回する筒状をなしている。
【００２０】
塀部４２の左上部には入球口に相当する左飛込み口４３が固定されている。この左飛込み口４３は遊技領域２２内の遊技球が塀部４２内に侵入することを許容する通路状をなすものであり、左飛込み口４３の入口は左斜め上方へ指向し、左飛込み口４３の出口は鉛直下方へ指向している。塀部４２の右上部には入球口に相当する右飛込み口４４が固定されている。この右飛込み口４４は遊技領域２２内の遊技球が塀部４２内に侵入することを許容する通路状をなすものであり、右飛込み口４４の入口は右斜め上方へ指向し、右飛込み口４４の出口は鉛直下方へ指向している。即ち、塀部４２内に対する遊技球の入賞経路は左飛込み口４３および右飛込み口４４のみに制限されている。
【００２１】
役物ケース４１内には板状の上ステージ４５が固定されている。この上ステージ４５の前端部は左飛込み口４３の出口および右飛込み口４４の出口に下方から対向しており、左飛込み口４３内に入口から入賞した遊技球は左飛込み口４３の出口から上ステージ４５の前端部に落下し、右飛込み口４４内に入口から入賞した遊技球は右飛込み口４４の出口から上ステージ４５の前端部に落下する。この上ステージ４５には、図４に示すように、放出口４６および案内部４７が形成されている。放出口４６は上ステージ４５を厚さ方向に貫通する円形状の貫通孔を称するものであり、案内部４７の中央部に配置されている。案内部４７は、図３に示すように、放出口４６に向うに従って下降するすり鉢状の傾斜面を称するものであり、上ステージ４５上に落下した遊技球は案内部４７の傾斜に沿って転がり、放出口４６から下方へ落下する。図４の符号ＣＰは放出口４６および案内部４７の中心点を示している。
【００２２】
役物ケース４１内には、図３に示すように、ギアケース４８が固定されている。このギアケース４８内には従動ギア４９が収納されており、従動ギア４９にはスリーブ５０が固定されている。このスリーブ５０は従動ギア４９と同心な円筒状をなすものであり、スリーブ５０の上端部は上軸受部５１の内周面に回転可能に嵌合され、スリーブ５０の下端部は下軸受部５２の内周面に回転可能に嵌合されている。上軸受部５１は上ステージ４５に形成されたものであり、軸心線ＣＬを中心とする円筒状をなしている。下軸受部５２はギアケース４８に形成されたものであり、軸心線ＣＬを中心とする円筒状をなしている。この軸心線ＣＬは放出口４６の中心点ＣＰを通る鉛直な直線を称するものであり、上軸受部５１および下軸受部５２は従動ギア４９を軸心線ＣＬを中心に回転可能に支持している。この従動ギア４９には、図８に示すように、円筒状の球通路５３が形成されている。この球通路５３は軸心線ＣＬを中心とする円筒状をなすものであり、上ステージ４５の放出口４６は従動ギア４９の回転位置に拘らず従動ギア４９の球通路５３に対して同心となる一定の位置関係で接続される。
【００２３】
役物ケース４１には、図３に示すように、台板５４が固定されている。この台板５４は電装部品を支持するベースとして機能するものであり、台板５４には駆動源に相当する役物モータ５５が固定されている。この役物モータ５５はステッピングモータからなるものであり、役物モータ５５の回転軸５６は下方へ鉛直に指向している。この回転軸５６には主動ギア５７が回転不能に固定されており、主動ギア５７は従動ギア４９に噛合している。この従動ギア４９には球通路に相当する滑り台５８が固定されており、滑り台５８は役物モータ５５を駆動源として従動ギア４９と一体的に回転する。この役物モータ５５は一定方向へ一定速度で常に回転するものであり、滑り台５８は役物モータ５５と反対の一定方向（図５の時計回り方向）へ一定速度（３６０°／３．０ｓｅｃ）で常に回転する。即ち、滑り台５８は一定時間毎に同一状態となる周期的な運動を行うものである。
【００２４】
滑り台５８は、図３に示すように、ギアケース４８の貫通孔５９を通して下方へ突出するものであり、図９に示すように、ベース部６０と直管部６１と螺旋部６２を有している。ベース部６０は円弧板状をなすものであり、滑り台５８はベース部６０を従動ギア４９にネジ止めすることに基いて従動ギア４９に位置ずれ不能に直結されている。直管部６１は軸心線ＣＬを中心とする円筒状をなすものである。この直管部６１は滑り台５８の侵入口に相当するものであり、上ステージ４５の放出口４６から放出された遊技球は従動ギア４９の球通路５３から直管部６１内に侵入する。螺旋部６２は断面半円形状の樋を螺旋状に形成したものであり、直管部６１内に侵入した遊技球は直管部６１内から螺旋部６２内に放出される。この遊技球は螺旋部６２に沿って螺旋状の軌跡を描きながら転がり、螺旋部６２の放出口６３から放出される。この放出口６３は螺旋部６２の終端部を称するものであり、役物モータ５５は滑り台５８を放出口６３が軸心線ＣＬを中心とする円環状の回転軌跡を描くように回転操作する。
【００２５】
役物ケース４１内には、図５に示すように、滑り台５８の下方に位置して下ステージ７０が固定されている。この下ステージ７０は受け台に相当するものであり、センターステージ７１と左ステージ７２と右ステージ７３を有している。左ステージ７２はセンターステージ７１の左方に配置されたものであり、図７に示すように、左方から右方へ向うに従って下降する傾斜板状をなしている。右ステージ７３はセンターステージ７１の右方に配置されたものであり、右方から左方へ向うに従って下降する傾斜板状をなしている。
【００２６】
下ステージ７０は螺旋部６２の放出口６３から落下する遊技球を受けるものであり、遊技球の下ステージ７０に対する着地位置は放出口６３の回転位置に応じて変化する。この下ステージ７０には、図６に示すように、着地領域７４および非着地領域７５が設定されている。着地領域７４は下ステージ７０の上面のうち放出口６３から落下した遊技球が着地可能な領域を称するものである。この着地領域７４は放出口６３の回転軌跡を軸心線ＣＬに沿って下ステージ７０の上面に投影した領域であり、センターステージ７１〜右ステージ７３の３者に跨って設定されている。非着地領域７５は下ステージ７０の上面のうち着地領域７４の内周部に位置する円形状の領域を称している。この非着地領域７５は放出口６３から落下した遊技球が着地不能な領域を称するものであり、センターステージ７１に限定して設定されている。
【００２７】
下ステージ７０には、図１０に示すように、仕切壁７６が形成されている。この仕切壁７６は仕切部材に相当するものであり、下ステージ７０の上面に対して上方へ突出している。この仕切壁７６は左前仕切部７７と右前仕切部７８と後仕切部７９と中央仕切部８０から構成されたものであり、左前仕切部７７と右前仕切部７８と後仕切部７９は着地領域仕切部に相当し、中央仕切部８０は非着地領域仕切部に相当する。
【００２８】
中央仕切部８０は円弧状をなすものであり、左前仕切部７７と右前仕切部７８と後仕切部７９を非着地領域７５内で連結している。左前仕切部７７は中央仕切部８０の左端部を起点に左斜め前方へ真直ぐに延びるものであり、センターステージ７１および左ステージ７２に跨って形成されている。右前仕切部７８は中央仕切部８０の右端部を起点に右斜め前方へ真直ぐに延びるものであり、センターステージ７１および右ステージ７３に跨って形成されている。後仕切部７９は中央仕切部８０を起点に後方へ真直ぐに延びるものであり、センターステージ７１だけに形成されている。
【００２９】
左前仕切部７７と右前仕切部７８と後仕切部７９は、図６に示すように、着地領域７４を円周方向に３等分するものである。前着地領域８１と左着地領域８２と右着地領域８３は着地領域７４を円周方向に３等分することから設定されたものであり、分割着地領域に相当する。前着地領域８１は着地領域７４のうち左前仕切部７７と右前仕切部７８との間に位置する領域を称するものであり、前着地領域８１の大部分はセンタステージ７１内に配置され、前着地領域８１の左端部の極一部は左ステージ７２内に配置され、前着地領域８１の右端部の極一部は右ステージ７３内に配置されている。
【００３０】
センターステージ７１は有彩色（赤色）に着色され、左ステージ７２および右ステージ７３は無彩色（乳白色）に着色されたものであり、前着地領域８１は大部分が有彩色であり、左端部の極一部および右端部の極一部が無彩色である。役物ケース４１の左壁および右壁は内面が無彩色（乳白色）に着色されたものであり、左ステージ７２は色彩的に役物ケース４１の左壁に繋がり、右ステージ７３は色彩的に役物ケース４１の右壁に繋がっている。
【００３１】
左着地領域８２は着地領域７４のうち左前仕切部７７と後仕切部７９との間に位置する領域を称するものであり、左着地領域８２のうち左ステージ７２内に配置された第２の無彩色領域は前着地領域８１のうち左ステージ７２内に配置された第１の無彩色領域に比べて面積が大きく設定され、左着地領域８２のうちセンターステージ７１内に配置された第２の有彩色領域は前着地領域８１のうちセンターステージ７１内に配置された第１の有彩色領域に比べて面積が小さく設定されている。
【００３２】
右着地領域８３は着地領域７４のうち右前仕切部７８と後仕切部７９との間に位置する領域を称するものであり、右着地領域８３のうち右ステージ７３内に配置された第２の無彩色領域は前着地領域８１のうち右ステージ７３内に配置された第１の無彩色領域に比べて面積が大きく設定され、右着地領域８３のうちセンターステージ７１内に配置された第２の有彩色領域は前着地領域８１のうちセンターステージ７１内に配置された第１の有彩色領域に比べて面積が小さく設定されている。この右着地領域８３の第２の無彩色領域は左着地領域８２の第２の無彩色領域と面積が同一に設定され、右着地領域８３の第２の有彩色領域は左着地領域８２の第２の有彩色領域と面積が同一に設定されている。
【００３３】
中央仕切部８０は、図６に示すように、非着地領域７５を３分割するものである。前非着地領域８４と左非着地領域８５と右非着地領域８６は非着地領域７５を３分割することから設定されたものであり、分割非着地領域に相当する。前非着地領域８４は非着地領域７５のうち左前仕切部７７と右前仕切部７８と中央仕切部８０の前方に位置する領域を称するものであり、左非着地領域８５は非着地領域７５のうち左前仕切部７７と後仕切部７９と中央仕切部８０の左方に位置する領域を称するものであり、右非着地領域８６は非着地領域７５のうち右前仕切部７８と後仕切部７９と中央仕切部８０の右方に位置する領域を称するものである。これら左非着地領域８５および右非着地領域８６は面積が共通の小値に設定され、前非着地領域８４は面積が左非着地領域８５および右非着地領域８６の双方に比べて大きな大値に設定されている。
【００３４】
下ステージ７０には振分け領域に相当する前領域８７が形成されている。この前領域８７は下ステージ７０の上面のうち左前仕切部７７と右前仕切部７８と中央仕切部８０の前方に位置する領域を称するものであり、前着地領域８１と前非着地領域８４と延長領域８９を含んで設定されている。この延長領域８９はセンターステージ７１と左ステージ７２と右ステージ７３の３者に跨るものであり、前領域８７を着地領域７４とは反対側の前方に延長する機能を有している。この延長領域８９は接線ＳＬの前方部分を称するものであり、接線ＳＬは着地領域７４の外周面に最前端部で接触する接線を称する。
【００３５】
前領域８７の前着地領域８１はセンターステージ７１上に位置する第１の非傾斜領域と左ステージ７２上に位置する第１の傾斜領域と右ステージ７３上に位置する第１の傾斜領域から構成されている。これら左ステージ７２および右ステージ７３は無彩色に着色され、センターステージ７１は有彩色に着色されたものであり、前着地領域８１の第１の非傾斜領域は有彩色に着色された第１の有彩色領域を兼用し、前着地領域８１の両第１の傾斜領域は無彩色に着色された第１の無彩色領域を兼用している。
【００３６】
前領域８７内には特定の入賞孔に相当する円形状の前入賞孔８８が形成されている。この前入賞孔８８は前非着地領域８４内に配置されたものであり、前領域８７内には、図１０に示すように、前入賞孔８８に向って下降する傾斜が付与されている。この前入賞孔８８は前着地領域８１内に着地した遊技球のみが入賞するものであり、遊技球が前着地領域８１内に着地したときには前領域８７の傾斜に沿って後方へ転がることに基いて前入賞孔８８内に入賞する。この前入賞孔８８は中央上入賞口２４の入口および中央下入賞口２７の入口を兼用するものであり、中央上入賞口２４および中央下入賞口２７の双方が縮小された状態で遊技球が前入賞孔８８内に入賞したときには中央上入賞口２４が縮小状態から拡大状態に切換わり、中央下入賞口２７も縮小状態から拡大状態に切換わる。
【００３７】
下ステージ７０には、図６に示すように、左領域９０が形成されている。この左領域９０は残りの振分け領域に相当するものであり、下ステージ７０の上面のうち左前仕切部７７と後仕切部７９と中央仕切部８０の左方に位置する領域を称している。この左領域９０は左着地領域８２および左非着地領域８５を含んで設定されたものであり、左着地領域８２および左非着地領域８５の合計面積は前着地領域８１および前非着地領域８４の合計面積に対して小さく設定されている。この左領域９０の左着地領域８２はセンターステージ７１上に位置する第２の非傾斜領域および左ステージ７２上に位置する第２の傾斜領域から構成されたものであり、左着地領域８２の第２の傾斜領域は無彩色に着色された第２の無彩色領域を兼用し、左着地領域８２の第２の非傾斜領域は有彩色に着色された第２の有彩色領域を兼用している。
【００３８】
左領域９０内には入賞孔に相当する円形状の左入賞孔９１が形成されており、左領域９０内には左入賞孔９１に向って下降する傾斜が付与されている。この左入賞孔９１は左着地領域８２内に着地した遊技球のみが入賞するものであり、遊技球が左着地領域８２内に着地したときには左領域９０の傾斜に沿って転がることに基いて左入賞孔９１内に入賞する。この左入賞孔９１は左入賞口３０の入口に相当するものであり、左入賞口３０の縮小状態で遊技球が左入賞孔９１内に入賞したときには左入賞口３０が縮小状態から拡大状態に切換わる。
【００３９】
下ステージ７０には右領域９２が形成されている。この右領域９２は残りの振分け領域に相当するものであり、下ステージ７０の上面のうち右前仕切部７８と後仕切部７９と中央仕切部８０の右方に位置する領域を称している。この右領域９２は右着地領域８３および右非着地領域８６を含んで設定されたものであり、右着地領域８３および右非着地領域８６の合計面積は左着地領域８２および左非着地領域８５の合計面積に対して同一に設定され、前着地領域８１および前非着地領域８４の合計面積に対して小さく設定されている。この右領域９２の右着地領域８３はセンターステージ７１上に位置する第２の非傾斜領域および右ステージ７３上に位置する第２の傾斜領域から構成されたものであり、右着地領域８３の第２の傾斜領域は無彩色に着色された第２の無彩色領域を兼用し、右着地領域８３の第２の非傾斜領域は有彩色に着色された第２の有彩色領域を兼用している。
【００４０】
右領域９２内には入賞孔に相当する円形状の右入賞孔９３が形成されており、右領域９２内には右入賞孔９３に向って下降する傾斜が付与されている。この右入賞孔９３は右着地領域８３内に着地した遊技球のみが入賞するものであり、遊技球が右着地領域８３内に着地したときには右領域９２の傾斜に沿って転がることに基いて右入賞孔９３内に入賞する。この右入賞孔９３は右入賞口３３の入口に相当するものであり、右入賞口３３の縮小状態で遊技球が右入賞孔９３内に入賞したときには右入賞口３３が縮小状態から拡大状態に切換わる。
【００４１】
上記実施例１によれば次の効果を奏する。
着地領域７４を円周方向に３等分する左前仕切部７７と右前仕切部７８と後仕切部７９を設け、左前仕切部７７と右前仕切部７８と後仕切部７９を非着地領域７５内で連結する中央仕切部８０を設け、非着地領域７５のうち前領域８７に属する前非着地領域８４を相対的に面積が大きく設定し、左領域９０に属する左非着地領域８５および右領域９２に属する右非着地領域８６を相対的に面積が小さく設定した。このため、前領域８７の面積が左領域９０の面積および右領域９２の面積に対して夫々に大きくなるので、遊技者の見た目の視点では滑り台５８の放出口６３から放出された遊技球が前領域８７内に落下する確率が最高になる。しかしながら、前着地領域８２の面積を左着地領域８２の面積および右着地領域８３の面積に対して夫々に同一に設定したので、実際には滑り台５８の放出口６３から放出された遊技球が前着地領域８１内〜右着地領域８３内の３者に共通の確率で落下し、前入賞孔８８内〜右入賞孔９３内の３者に共通の確率で振分けられる。このため、遊技球の前入賞孔８８に対する見た目の振分け確率が実際の振分け確率に比べて高くなるので、遊技球の前入賞孔８８に対する実際の振分け確率を高めることなく遊技者の遊技意欲を高めることができる。
【００４２】
着地領域７４の前方に延長領域８９を設けたので、前領域８７の面積が大きくなる。このため、遊技者の見た目の視点で遊技球が前入賞孔８８に振分けられる確率が一層高くなるので、遊技者の遊技意欲を一層高めることができる。
【００４３】
前着地領域８１のうちセンターステージ７１に属する第１の非傾斜領域の面積を左着地領域８２のうちセンターステージ７１に属する第２の非傾斜領域および右着地領域８３のうちセンターステージ７１に属する第２の非傾斜領域に対して夫々に大きく設定した。このため、前着地領域８１の見た目の広さが左着地領域８２の見た目の広さおよび右着地領域８３の見た目の広さに比べて一層大きくなるので、この点からも遊技者の遊技意欲を一層高めることができる。
【００４４】
前着地領域８１のうちセンターステージ７１に属する第１の有彩色領域の面積を左着地領域８２のうちセンターステージ７１に属する第２の有彩色領域の面積および右着地領域８３のうちセンターステージ７１に属する第２の有彩色領域の面積に対して大きく設定した。このため、遊技者が前着地領域８１の広さを左着地領域８２および右着地領域８３と比較するときに遊技者の目線が第１の有彩色領域に集中し、前着地領域８１が左着地領域８２および右着地領域８３に比べて大幅に大きい印象を持つようになるので、この点からも遊技者の遊技意欲を一層高めることができる。しかも、左ステージ７２に繋がる役物ケース４１の左壁を無彩色に設定し、右ステージ７３に繋がる役物ケース４１の右壁を無彩色に設定したので、前着地領域８１の第１の有彩色領域が一層目立つようになる。このため、前着地領域８１の広さに対する錯覚が顕著になるので、この点からも遊技者の遊技意欲を一層高めることができる。
【実施例２】
【００４５】
仕切壁７６の中央仕切部８０は、図１１に示すように、開口部が右斜め前方へ指向するように配置されており、中央仕切部８０の左端部は右端部に対して前方へ位置ずれしている。この中央仕切部８０の左端部には左仕切部７７が設けられ、中央仕切部８０の右端部には右仕切部７８が設けられており、左仕切部７７および右仕切部７８は前後方向にずらして配置されている。このため、左仕切部７７に沿って前入賞孔８８側へ転がる遊技球および右仕切部７８に沿って前入賞孔８８側へ転がる遊技球が中央仕切部８０の開口部で相互に干渉することに基いて詰まることがなくなるので、前着地領域８１内に着地した遊技球が前入賞孔８８内に円滑に入賞するようになる。
【実施例３】
【００４６】
役物ケース４１内には、図１２に示すように、下ステージ７０に換えて下ステージ１００が固定されている。この下ステージ１００は受け台に相当するものであり、全体が水平な板状をなしている。この下ステージ１００には仕切壁７６が形成されており、下ステージ１００の上面には前領域８７と左領域９０と右領域９２が区画形成されている。
【００４７】
上記実施例３によれば、前領域８７の面積が左領域９０および右領域９２に対して夫々に大きくなるので、遊技者の見た目の視点では滑り台５８の放出口６３から放出された遊技球が前領域８７内に落下する確率が最高になる。しかしながら、実際には滑り台５８の放出口６３から放出された遊技球が前着地領域８１内〜右着地領域８３内の３者に共通の確率で落下し、前入賞孔８８内〜右入賞孔９３内の３者に共通の確率で振分けられる。このため、遊技球の前入賞孔８８に対する見た目の振分け確率が実際の振分け確率に比べて高くなるので、遊技球の前入賞孔８８に対する実際の振分け確率を高めることなく遊技者の遊技意欲を高めることができる。
【実施例４】
【００４８】
センターステージ７１には着地領域７４および非着地領域７５間の境界線に沿って中央仕切部８０が形成されている。この中央仕切部８０は左前仕切部７７と右前仕切部７８と後仕切部７９の３者を着地領域７４および非着地領域７５間の境界線上で連結するものであり、非着地領域７５は前領域８７に属する部分が相対的に大となり、左領域９０に属する部分が零になり、右領域９２に属する部分も零になる。
【００４９】
上記実施例４によれば、前領域８７の面積が左領域９０および右領域９２に対して夫々に大きくなるので、遊技者の見た目の視点では滑り台５８の放出口６３から放出された遊技球が前領域８７内に落下する確率が最高になる。従って、遊技球の前入賞孔８８に対する見た目の振分け確率が実際の振分け確率に比べて高くなるので、遊技球の前入賞孔８８に対する実際の振分け確率を高めることなく遊技者の遊技意欲を高めることができる。
【００５０】
上記実施例１〜実施例４においては、入球口として左飛込み口４３および右飛込み口４４を例示したが、これに限定されるものではなく、例えば遊技領域２２内を転動する遊技球が入賞可能な入賞口であっても良い。この入賞口は入賞した遊技球を遊技領域２２内に放出することなく回収するものであり、遊技球が入賞することに基いて上皿６内に遊技球を賞品球として払出す入球口である。
【図面の簡単な説明】
【００５１】
【図１】実施例１を示す図（ａは全体構成を示す前面図、ｂは側面図）
【図２】遊技盤を示す前面図
【図３】（ａ）は中央役物を示す前面図、（ｂ）はＸｂ線に沿う断面図
【図４】図３のＸ４線に沿う断面図
【図５】図３のＸ５線に沿う断面図
【図６】図３のＸ６線に沿う断面図
【図７】中央役物の外観を示す斜視図
【図８】役物モータの駆動力を滑り台に伝達する歯車機構の外観を示す斜視図
【図９】滑り台を示す図（ａは前面図、ｂはＸｂ視図、ｃはＸｃ視図、ｄはＸｄ視図、ｅはＸｅ視図）
【図１０】下ステージを示す図（ａは上面図、ｂはＸｂ線に沿う断面図、ｃはＸｃ線に沿う断面図）
【図１１】実施例２を示す図１０の（ａ）相当図
【図１２】実施例３を示す図１０の（ａ）相当図
【図１３】実施例４を示す図６相当図
【符号の説明】
【００５２】
２２は遊技領域、４３は左飛込み口、４４は右飛込み口、５５は役物モータ、５８は滑り台、７０は下ステージ、７４は着地領域、７５は非着地領域、７６は仕切壁、７７は左前仕切部、７８は右前仕切部、７９は後仕切部、８０は中央仕切部、８１は前着地領域、８２は左着地領域、８３は右着地領域、８４は前非着地領域、８５は左非着地領域、８６は右非着地領域、８７は前領域、９０は左領域、９２は右領域、１００は下ステージを示している。
【図１】
2006320385.tif 000003
【図２】
2006320385.tif 000004
【図３】
2006320385.tif 000005
【図４】
2006320385.tif 000006
【図５】
2006320385.tif 000007
【図６】
2006320385.tif 000008
【図７】
2006320385.tif 000009
【図８】
2006320385.tif 000010
【図９】
2006320385.tif 000011
【図１０】
2006320385.tif 000012
【図１１】
2006320385.tif 000013
【図１２】
2006320385.tif 000014
【図１３】
2006320385.tif 000015